(57)【要約】      （修正有）【課題】陳列した靴やバッグなどの商品を収納し直す際に、商品と、箱や袋などの収納容器との符号を容易とした収納容器用ＲＦＩＤ記録媒体発行方法及び収納容器用ＲＦＩＤ記録媒体並びに収納容器確認システムを提供する。【解決手段】帯状のＲＦＩＤ記録媒体２０と、ＲＦＩＤ記録媒体２０を供給する媒体供給部３と、ＲＦＩＤ記録媒体の表面に商品に関する情報を印字する印字手段７と、媒体供給部と印字手段との間に形成された搬送路１１と、ＲＦＩＤ記録媒体を搬送する搬送手段４と、ＲＦＩＤ記録媒体の検出マークを検出する検出手段５と、読取り及び商品に関する情報の書込みを行うＲＦＩＤ読込み・書込み手段６とを備え、複数枚記記録媒体片に、同一の商品に関する情報を連続して前記印字手段により印字し、かつ、ＲＦＩＤ読込み・書込み手段により書込むとともに、それぞれの記録媒体片のＲＦＩＤ部に商品用または収納容器用の区分を書込む。【選択図】        図１
2005293260.tif 000002
【特許請求の範囲】
【請求項１】
商品および商品を収納するための収納容器に表示する商品用および収納容器用記録媒体片を発行する収納容器用ＲＦＩＤ記録媒体発行方法であって、
等間隔に検出マークを有するとともに、前記検出マーク間に、ＲＦＩＤ部が内蔵された記録媒体片を分離可能に形成して成る帯状のＲＦＩＤ記録媒体と、
このＲＦＩＤ記録媒体を供給する媒体供給部と、
この媒体供給部より下流側に設けられ、供給された前記ＲＦＩＤ記録媒体の表面に前記商品に関する情報を印字する印字手段と、
前記媒体供給部と印字手段との間に形成された搬送路と、
前記搬送路に沿って前記ＲＦＩＤ記録媒体を搬送する搬送手段と、
前記搬送路に設けられ、前記ＲＦＩＤ記録媒体の前記検出マークを検出する検出手段と、
前記搬送路に設けられるとともに、前記ＲＦＩＤ記録媒体の記録媒体片に内蔵された前記ＲＦＩＤ部に対する読取り及び前記商品に関する情報の書込みを行うＲＦＩＤ読込み・書込み手段と、を備え、
複数枚の前記記録媒体片に、同一の前記商品に関する情報を連続して前記印字手段により印字し、かつ、前記ＲＦＩＤ読込み・書込み手段により書込むとともに、前記それぞれの記録媒体片のＲＦＩＤ部に商品用または収納容器用の種類区分を書込むことを特徴とする収納容器用ＲＦＩＤ記録媒体発行方法。
【請求項２】
さらに、前記ＲＦＩＤ読込み・書込み手段および印字手段の下流側に、前記ＲＦＩＤ記録媒体を前記印字媒体片に切断する切断手段を設け、同一の前記商品に関する情報が書込まれた複数枚の記録媒体片を単位として前記切断手段により切断することを特徴とする請求項１に記載の収納容器用ＲＦＩＤ記録媒体発行方法。
【請求項３】
商品および商品を収納するための収納容器に貼付ける収納容器用ＲＦＩＤ記録媒体であって、
台紙と、
この台紙上に仮着され、前記商品に関する情報が書込まれたＲＦＩＤ部を内蔵したラベルと、を有するとともに、
同一の前記商品に関する情報が表面に表示され、かつ、ＲＦＩＤ部に書込まれた前記ラベルを、前記台紙上に複数枚連続して形成し、
さらに、複数のラベルを台紙より剥がして、それぞれを前記商品および前記収納容器に貼付可能としたことを特徴とする収納容器用ＲＦＩＤ記録媒体。
【請求項４】
商品および商品を収納する収納容器に表示する記録媒体片を備えた収納容器用ＲＦＩＤ記録媒体であって、
等間隔に検出マークを有し、前記検出マーク間に、ＲＦＩＤ部が内蔵された記録媒体片を形成して成る基材を有するとともに、
同一の前記商品に関する情報が表面に表示され、かつ、ＲＦＩＤ部に書込まれた前記記録媒体片を複数枚連続して形成し、
さらに、隣り合った記録媒体片をミシン目により分離可能に区画・形成するとともに、前記ミシン目により記録媒体片を分離してそれぞれを前記商品および前記収納容器に表示可能としたことを特徴とする収納容器用ＲＦＩＤ記録媒体。
【請求項５】
陳列された商品と、その商品の収納容器との符合を図る収納容器確認システムであって、
前記商品に関する情報がその表面に表示されるとともに、内蔵されたＲＦＩＤ部に書込まれた記録媒体片と、
この記録媒体片を複数連接し、隣り合った記録媒体片の一つを商品用記録媒体片および一つを収納用器用記録媒体片として分離可能に形成したＲＦＩＤ記録媒体と、
このＲＦＩＤ記録媒体を前記商品用記録媒体片と前記収納容器用記録媒体片とに分離するとともに、商品および収納容器に表示する表示手段と、
前記商品用記録媒体片または前記収納容器用記録媒体片の前記ＲＦＩＤ部に書込まれた商品の情報を非接触で読取り可能で、かつ、読取った商品の情報の符合が図れる読取り装置と、を備え、
前記前記読取り装置にて商品用記録媒体片の商品に関する情報を読取り、かつ、その情報を保持するとともに、収納容器用記録媒体片の前記商品に関する情報を読取り、前記商品用記録媒体片および収納容器用記録媒体片の符合が図れた収納容器を検出することを特徴とする収納容器確認システム。
【請求項６】
前記商品用記録媒体片および収納容器用記録媒体片の前記ＲＦＩＤ部には、おのおの記録媒体片の種類フラグが設けられていることを特徴とする請求項５に記載の収納容器確認システム。
【発明の詳細な説明】
【技術分野】
【０００１】
本発明は、靴やバッグなどの収納容器（箱や袋など）に表示する収納容器用ＲＦＩＤ記録媒体発行方法及び収納容器用ＲＦＩＤ記録媒体並びに収納容器確認システムに係るもので、特に、陳列した高級ブランドの靴やバッグなどの商品を収納し直す際に、商品と、箱や袋などの収納容器との符合を容易とした収納容器用ＲＦＩＤ記録媒体発行方法及び収納容器用ＲＦＩＤ記録媒体並びに収納容器確認システムに関する。
【背景技術】
【０００２】
従来における収納容器用記録媒体（収納容器用ラベル）としては、台紙上において、容器用ラベル片と商品用ラベル片とに分割したラベル片を備え、容器用ラベル片の台紙を剥離した状態で収納容器に貼り付けるとともに、商品用ラベル片を箱から分離して、別途陳列する商品に貼り付けるようなものが知られている（例えば、特許文献１参照）。
しかしながら、この収納容器用ラベルであると、目視で箱と商品との符合を図る必要があり、面倒であるという問題がある。すなわち、商品を収納容器から取り出して別途陳列する必要がある、例えば、靴やバッグ、帽子、装飾品、置物、楽器、あるいは玩具などは、陳列したのち該当する箱に収納し直す場合があり、特に、売れたような場合は、お客を待たしているため、短時間のうちに該当商品と箱などの収納容器との一致（符合）を図る必要があったが、目視による符合のため時間が掛かるという問題があり、さらに、手近な箱で間に合わせると商品と箱との不一致が発生し、ブランドの高級感が損なわれるという問題があり、商品と収納容器とを容易に符合させることができるような収納容器用ＲＦＩＤ記録媒体発行方法及び収納容器用ＲＦＩＤ記録媒体並びに収納容器確認システムの開発が望まれた。
【特許文献１】特開２００１−２１５８７９号公報
【発明の開示】
【発明が解決しようとする課題】
【０００３】
本発明は、上記の問題点に着目して成されたものであり、陳列した靴やバッグなどの商品を収納し直す際に、商品と、箱や袋などの収納容器との符号を容易とした収納容器用ＲＦＩＤ記録媒体発行方法及び収納容器用ＲＦＩＤ記録媒体並びに収納容器確認システムを提供することを課題とする。
【課題を解決するための手段】
【０００４】
本発明に係る収納容器用ＲＦＩＤ記録媒体発行方法は、商品および商品を収納するための収納容器に表示する商品用および収納容器用記録媒体片を発行する収納容器用ＲＦＩＤ記録媒体発行方法であって、等間隔に検出マークを有するとともに、前記検出マーク間に、ＲＦＩＤ部が内蔵された記録媒体片を分離可能に形成して成る帯状のＲＦＩＤ記録媒体と、このＲＦＩＤ記録媒体を供給する媒体供給部と、この媒体供給部より下流側に設けられ、供給された前記ＲＦＩＤ記録媒体の表面に前記商品に関する情報を印字する印字手段と、前記媒体供給部と印字手段との間に形成された搬送路と、前記搬送路に沿って前記ＲＦＩＤ記録媒体を搬送する搬送手段と、前記搬送路に設けられ、前記ＲＦＩＤ記録媒体の前記検出マークを検出する検出手段と、前記搬送路に設けられるとともに、前記ＲＦＩＤ記録媒体の記録媒体片に内蔵された前記ＲＦＩＤ部に対する読取り及び前記商品に関する情報の書込みを行うＲＦＩＤ読込み・書込み手段と、を備え、複数枚の前記記録媒体片に、同一の前記商品に関する情報を連続して前記印字手段により印字し、かつ、前記ＲＦＩＤ読込み・書込み手段により書込むとともに、前記それぞれの記録媒体片のＲＦＩＤ部に商品用または収納容器用の種類区分を書込むことを特徴とする。
さらに、ＲＦＩＤ読込み・書込み手段および印字手段の下流側に、ＲＦＩＤ記録媒体を印字媒体片に切断する切断手段を設け、同一の商品に関する情報が書込まれた複数枚の記録媒体片を単位として切断手段により切断するようにできる。
また、本発明に係るＲＦＩＤ記録媒体は、商品および商品を収納するための収納容器に貼付ける収納容器用ＲＦＩＤ記録媒体であって、台紙と、この台紙上に仮着され、前記商品に関する情報が書込まれたＲＦＩＤ部を内蔵したラベルと、を有するとともに、同一の前記商品に関する情報が表面に表示され、かつ、ＲＦＩＤ部に書込まれた前記ラベルを、前記台紙上に複数枚連続して形成し、さらに、複数のラベルを台紙より剥がして、それぞれを前記商品および前記収納容器に貼付可能としたことを特徴とする。
また、本発明に係るＲＦＩＤ記録媒体は、商品および商品を収納する収納容器に表示する記録媒体片を備えた収納容器用ＲＦＩＤ記録媒体であって、等間隔に検出マークを有し、前記検出マーク間に、ＲＦＩＤ部が内蔵された記録媒体片を形成して成る基材を有するとともに、同一の前記商品に関する情報が表面に表示され、かつ、ＲＦＩＤ部に書込まれた前記記録媒体片を複数枚連続して形成し、さらに、隣り合った記録媒体片をミシン目により分離可能に区画・形成するとともに、前記ミシン目により記録媒体片を分離してそれぞれを前記商品および前記収納容器に表示可能としたことを特徴とする。
また、本発明に係る収納容器確認システムは、陳列された商品と、その商品の収納容器との符合を図る収納容器確認システムであって、前記商品に関する情報がその表面に表示されるとともに、内蔵されたＲＦＩＤ部に書込まれた記録媒体片と、この記録媒体片を複数連接し、隣り合った記録媒体片の一つを商品用記録媒体片および一つを収納用器用記録媒体片として分離可能に形成したＲＦＩＤ記録媒体と、このＲＦＩＤ記録媒体を前記商品用記録媒体片と前記収納容器用記録媒体片とに分離するとともに、商品および収納容器に表示する表示手段と、前記商品用記録媒体片または前記収納容器用記録媒体片の前記ＲＦＩＤ部に書込まれた商品の情報を非接触で読取り可能で、かつ、読取った商品の情報の符合が図れる読取り装置と、を備え、前記前記読取り装置にて商品用記録媒体片の商品に関する情報を読取り、かつ、その情報を保持するとともに、収納容器用記録媒体片の前記商品に関する情報を読取り、前記商品用記録媒体片および収納容器用記録媒体片の符合が図れた収納容器を検出することを特徴とする。
また、商品用記録媒体片および収納容器用記録媒体片のＲＦＩＤ部には、おのおの記録媒体片の種類フラグが設けられているようにできる。
【発明の効果】
【０００５】
本発明に係る収納容器用ＲＦＩＤ記録媒体発行方法は、複数のＲＦＩＤ記録媒体に同一の商品に関する情報を連続して印字手段により印字し、かつ、ＲＦＩＤ読込み・書込み手段により書込むとともに、それぞれの記録媒体片のＲＦＩＤ部に商品用または収納容器用の種類区分を書込み、分離するようにしたので、一方の記録媒体片を商品に、他方の記録媒体片を収納容器に用いるようにでき、しかも、非接触状態での確認が可能になるという効果がある。
また、本発明に係るＲＦＩＤ記録媒体は、同一の商品に関する情報が表面に表示され、かつ、ＲＦＩＤ部に書込まれた記録媒体片を複数枚連続して形成し、さらに、隣り合った記録媒体片を分離してそれぞれを商品および収納容器に表示可能としたので、一方の記録媒体片を商品に、他方の記録媒体片を収納容器に用いるようにでき、しかも、非接触状態での確認が可能になるという効果がある。
さらに、本発明に係る収納容器確認システムは、読取り装置にて商品用記録媒体片の商品に関する情報を読取り、かつ、その情報を保持するとともに、収納容器用記録媒体片の商品に関する情報を読取り、商品用記録媒体片および収納容器用記録媒体片の符合が図れた収納容器を検出するため、商品と収納容器の符合が容易に図れるという効果がある。
【発明を実施するための最良の形態】
【０００６】
図１は、本発明の収納容器用ＲＦＩＤ記録媒体発行方法を用いたプリンタの一実施の形態の構成例を示す概略説明図である。
【０００７】
同図に示すように、プリンタ１は、後述する「ＲＦＩＤ記録媒体」を装着する媒体供給部３と、補助ローラ４と、「検出手段」としての反射センサ５と、「ＲＦＩＤ読込み・書込み手段」としてのＲＦＩＤリード・ライト部６と、「印字手段」としての印字部７と、リボン部８と、「切断手段」としてのカッタ部９と、前記各部と接続される制御部１０と、前記媒体供給部３および印字部７の間に形成された搬送路１１と、を備える。
【０００８】
先ず、図２に基づき、タグ状のＲＦＩＤ記録媒体２０につき説明する。
ＲＦＩＤ記録媒体２０は、長尺状の基材２１と、この基材２１にほぼ等間隔であけられた孔２２と、基材２１の裏面に等間隔で予め印刷された「検出マーク」としての矩形状の識別マーク２３と、この識別マーク２３の後端部近辺において、幅方向にわたって形成されたミシン目２４と、を備えており、前記ミシン目２４により記録媒体片２５が区画・形成されている。そして、記録媒体片２５ごとに、ＩＣチップ２６およびアンテナ２７を備えたＲＦＩＤ部２８が内蔵されている。
ＲＦＩＤ部２８は、ＲＦＩＤ（Ｒａｄｉｏ  Ｆｒｅｑｕｅｎｃｙ  Ｉｄｅｎｔｉｆｉｃａｔｉｏｎ）による情報の送受信が可能であり、アンテナ２７を介してＩＣチップ２６に対し図示省略の価格や品番、サイズなどの商品に関する情報（以下、適宜、単に商品情報と称す）を書込めるようになっている。
また、ＲＦＩＤ記録媒体２０の表面側は、前記ＲＦＩＤ部２８のＩＣチップ２６に書込む価格や品番、サイズなどの商品の情報（図示省略）と同様の情報を印字して表示できるようになっている。
【０００９】
図３は、ラベル状のＲＦＩＤ記録媒体３０であり、帯状の台紙３１上に図示省略の粘着剤を介して仮着されたラベル３２と、台紙３１の裏面に等間隔で予め印刷された「検出マーク」としての矩形状の識別マーク３３と、を備えており、前記識別マーク３３、３３間が記録媒体片３４として区画・形成される。そして、記録媒体片３４のラベル３２ごとに、ＩＣチップ２６およびアンテナ２７を備えたＲＦＩＤ部３５が内蔵されている。
ＲＦＩＤ部３５は、ＲＦＩＤ（Ｒａｄｉｏ  Ｆｒｅｑｕｅｎｃｙ  Ｉｄｅｎｔｉｆｉｃａｔｉｏｎ）による情報の送受信が可能であり、アンテナ２７を介してＩＣチップ２６に対し図示省略の商品情報を書込めるようになっている。
また、ＲＦＩＤ記録媒体３０のラベル３２は、前記ＲＦＩＤ部３５のＩＣチップ２６に書込む商品情報（図示省略）と同様の情報を印字して表示できるようになっている。
【００１０】
次に、図１に戻って、プリンタにつき説明する。
なお、以下においては、説明の都合上、主に、タグ状のＲＦＩＤ記録媒体２０を使用した例で説明し、ラベル状のＲＦＩＤ記録媒体３０については、必要に応じて適宜、説明する。
【００１１】
補助ローラ４は、媒体供給部３に装着されて繰出されたＲＦＩＤ記録媒体２０を挟持し、電源投入、あるいは、ＲＦＩＤ記録媒体２０の交換後の立上げ時などに回転してＲＦＩＤ記録媒体２０をフィードするようになっており、ＲＦＩＤ記録媒体２０は印字部７が形成される下流側へ向けて搬送路１１を搬送される。
【００１２】
反射センサ５は、搬送路１１に設けられるとともに、前記搬送中のＲＦＩＤ記録媒体２０の基材２１の裏面に向けて光を照射する発光部５ａ、この発光部５ａより照射された光を受光する受光部５ｂとから構成され、受光した光量の変化に基づき、基材２１裏面の識別マーク２３を検出するようになっている。
【００１３】
ＲＦＩＤリード・ライト部６は、前記ＲＦＩＤ記録媒体２０のＲＦＩＤ部２８に対する送受信を行う装置であって、アンテナ２７を介してＩＣチップ２６の固有ＩＤを読取るとともに、読取りができたＩＣチップ２６に対して図示省略の商品情報を送信・書込むことができるようになっている。
【００１４】
印字部７は、印字ヘッド１２およびプラテン１３を備え、ＲＦＩＤ記録媒体２０の表面に対し印字ヘッド１２を介して商品情報を印字するとともに、プラテン１３は、図示省略のステッピングモータに接続され、前記印字ヘッド１２との間に挟持したＲＦＩＤ記録媒体２０をステッピングモータ（図示省略）の回転に従い下流側（矢示Ｆ方向）へ搬送、または、上流（矢示Ｂ方向）側へバックフィード（逆搬送）するようになっている。
【００１５】
リボン部８は、インクリボン１４と、インクリボン１４を装着するリボン供給部１５と、リボン巻取り部１６と、補助ローラ１７とを備える。リボン供給部１５に装着したインクリボン１４は、補助ローラ１７を経て前記印字ヘッド１２とプラテン１３の間に挟持しリボン巻取り部１６へ巻取られる途中で印字ヘッド１２の熱により融解し、前記ＲＦＩＤ記録媒体２０の表面に印字ヘッド１２を介して商品に関する情報が熱で転写できるようになっている。
【００１６】
カッタ部９は、カッタセンサ１８およびカッタ刃１９を備えており、カッタ部９まで搬送されたＲＦＩＤ記録媒体２０をカッタ刃１９により所定のタイミングで切断して複数枚連接された「記録媒体片」を作成するようになっている。
また、カッタセンサ１８は、カッタ刃１９の上流側に設けられており、カッタ刃１９によって切断されたＲＦＩＤ記録媒体２０を印字位置までバックフィード（矢示Ｂ方向）する際、正常にバックフィードされたかを確認するためのセンサであり、印字部７より下流に設けられたカッタ部９側にＲＦＩＤ記録媒体２０が搬送されたときにＯＦＦとなってＲＦＩＤ記録媒体２０の存在を認識でき、また、切断後のバックフィードで印字部７側へ搬送されたときＯＮになって、ＲＦＩＤ記録媒体２０がカッタ部９と印字部７との間に存在しないことが確認できるようになっている。
制御部１０は、前記補助ローラ４、反射センサ５、ＲＦＩＤリード・ライト部６、印字部７、リボン部８およびカッタ部９などの各部に接続され、各部の制御を行うようになっている。
【００１７】
次に、図４および図５に基づき、「記録媒体片」について説明する。
図４は、前記プリンタ１を用いてタグ状のＲＦＩＤ記録媒体２０より、商品情報が印字および書込まれた収納容器用ＲＦＩＤ記録媒体５０を作成した例を示す説明図である。
同図に示すように、収納容器用ＲＦＩＤ記録媒体５０は、ＲＦＩＤ記録媒体２０より、ミシン目２４を挟んだ状態で２枚連接して切断され形成されており、一方の記録媒体片２５は商品用記録媒体片２５ａであり、他方の記録媒体片２５は収納容器用記録媒体片２５ｂとされる。
基材２１の表面には、少なくとも、商品情報部４０、価格印字部４１およびバーコード印字部４２が形成されており、例えば、商品情報部４０にはメーカーの品番、商品の色やサイズなどを、また、価格印字部４１には販売価格を、さらに、バーコード印字部４２には前記の品番などをバーコード化して、おのおの印字し表示する。前記商品用および収納容器用記録媒体片２５ａ、２５ｂには、同一の商品に関する情報を印字するものとし、任意のレイアウトで任意の表示内容を印字可能である。
内蔵されたＲＦＩＤ部２８には、表面に印字した商品情報部４０、価格印字部４１およびバーコード印字部４２に印字した内容と同一の内容のほか、図示省略の入荷日、入荷元、仕入価格などの商品情報、および記録媒体片の図示省略の種類フラグなどが書込まれている。種類フラグ（図示省略）は、ミシン目２４により連接された記録媒体片２５の種類を示すもので、例えば、一方の記録媒体片２５ａは「１」、他方の記録媒体片２５ｂは「２」のように設定されている。ミシン目２５より分離して２つの記録媒体片２５ａ、２５ｂにしたとき、同フラグを除いた商品情報が同一のため、どちらを商品用または収納容器用記録媒体片２５ａ、２５ｂとして用いてもよいものである。
【００１８】
図５は、前記プリンタ１を用いてラベル状のＲＦＩＤ記録媒体３０より、商品に関する情報が印字および書込まれた収納容器用ＲＦＩＤ記録媒体６０を作成した例を示す説明図である。
同図に示すように、収納容器用ＲＦＩＤ記録媒体６０は、ＲＦＩＤ記録媒体３０より、識別マーク３３、３３間に区画・形成された記録媒体片３４が２枚連接された状態で台紙３１ごと切断され形成されており、一方の記録媒体片３４は商品用記録媒体片３４ａであり、他方の記録媒体片３４は収納容器用記録媒体片３４ｂとされる。
前記記録媒体片３４の台紙３１上には、ラベル３２ａ、３２ｂが各々仮着されており、ラベル３２ａ、３２ｂの表面には、少なくとも、商品情報部４０、価格印字部４１およびバーコード印字部４２が設けられている。例えば、商品情報部４０にはメーカーの品番、商品の色やサイズなどを、また、価格印字部４１には販売価格を、さらに、バーコード印字部４２には前記の品番などをバーコード化して、おのおの印字し表示する。
前記商品用および収納容器用記録媒体片３４ａ、３４ｂのラベル３２ａ、３２ｂには、同一の商品情報を印字するものとし、任意のレイアウトで任意の表示内容を印字可能である。
内蔵されたＲＦＩＤ部２８には、表面に印字した商品情報部４０、価格印字部４１およびバーコード印字部４２に印字した内容のほか、図示省略の入荷日、入荷元、仕入価格などの商品に関する情報、および記録媒体片の図示省略の種類フラグなどが書込まれている。種類フラグ（図示省略）は、台紙３１上に連接された「記録媒体片」としてのラベル３２の種類を示すもので、例えば、一方の記録媒体片３４ａのラベル３２ａは「１」、他方の記録媒体片３２ｂのラベル３２ｂは「２」のように設定されている。台紙３１より剥離して２つのラベル３２ａ、３２ｂにしたとき、同フラグを除いた商品情報が同一のため、どちらを商品用または収納容器用記録媒体片３２ａ、３２ｂとして用いてもよいものである。
【００１９】
次に、図６に基づき、本発明に係る収納容器用ＲＦＩＤ記録媒体の使用形態につき説明する。
なお、以下においては、説明の都合上、商品として靴を例にとり、かつ、主に、タグ状の収納容器用ＲＦＩＤ記録媒体５０を例にとって説明することとし、ラベル状の収納容器用ＲＦＩＤ記録媒体６０については、必要に応じて言及することとする。
同図は、本発明の収納容器確認システムの一実施の形態の構成例を示しており、同図に示すように、本実施の形態は、靴６５を仕入れる仕入部門７０と、靴６５および箱７５を保管する保管エリア８０と、靴６５を陳列する売場９０とから構成されている。
【００２０】
仕入部門７０は、仕入れた靴６５に表示する前述の収納容器用ＲＦＩＤ記録媒体５０（図４）、または、収納容器用ＲＦＩＤ記録媒体６０（図５）を発行する部署であり、前述のプリンタ１を備えている。プリンタ１を作動し、所定の仕入品情報を入力すると、商品情報部４０、価格印字部４１およびバーコード印字部４２などに商品に関する情報が印字・表示された商品用記録媒体片２５ａおよび収納容器用記録媒体片２５ｂが２枚連接されたタグ状の収納容器用ＲＦＩＤ記録媒体５０を発行する。発行された収納容器用ＲＦＩＤ記録媒体５０は靴６５とともに靴箱７５に収納され、保管エリア８０へと運ばれて収納・保管される。
【００２１】
次に、保管エリア８０における処理を説明する。
保管エリア８０では、スペースが狭い関係で靴６５および靴箱７５は通常複数段、積み重ねて保管する。Ｙは、靴６５が靴箱７５とともに保管されている一時保管スペースを表している。また、保管エリア８０では、必要に応じて一時保管スペースＹより靴６５を選び売場９０に陳列（ディスプレイ）するが、読取り装置８５により積み重ねられた一時保管スペースＹより該当する靴６５を検索する。
【００２２】
ここで、保管エリア８０や売場９０で使用する読取り装置８５について説明する。
読取り装置８５は、前述タグ状の収納容器用ＲＦＩＤ記録媒体５０に書込まれた情報を非接触で読取り・書込み可能な「ＲＦＩＤリーダ・ライタ」であり、ＲＦＩＤ部２８のアンテナ２７を介してＩＣチップ２６に書込まれた図示省略の価格や商品番号、サイズなどの商品情報を送受信可能とされている。また、読取った収納容器用ＲＦＩＤ記録媒体５０の前記商品情報を既知のＣＰＵを使用してＲＡＭなどに一時的に保持し、他の収納容器用ＲＦＩＤ記録媒体５０の商品に関する情報を読込んで、図示省略の品番、商品の色やサイズなどが同じかの符合（比較・照合）が図れるようになっている。また、図示省略の表示部に表示するようにもできる。
前述の読取り装置８５を使って一時保管スペースＹより該当する靴６５を検索するには、対象とする靴の品番や色、サイズなどの商品情報、および記録媒体片２５の図示省略の「種類フラグ」として商品用記録媒体片２５ａの種類を示す「１」を読取り装置８５ａに入力するとともに、一時保管スペースＹに携帯した読取り装置８５ａを靴箱７５の外からかざして読取るものであり、入力された前記商品に関する情報と、靴箱７５内に収納されている収納容器用ＲＦＩＤ記録媒体５０のＩＣチップ２６に書込まれた商品に関する情報との符合が図られ、該当の靴６５が非接触状態で検索されるものである。なお、符合が図られた場合、読取り装置８５ａの図示省略の表示部やランプを点滅させ、あるいは、既知のブザーなどにより知らせるようにしても良い。
【００２３】
次に、靴６５を陳列する処理につき説明する。
靴箱７５をあけて、中から靴６５および収納容器用ＲＦＩＤ記録媒体５０（図４参照）を取出す。収納容器用ＲＦＩＤ記録媒体５０のミシン目２４より分離し、一方の記録媒体片２５ａの孔２２に糸などの取付け具９５を取付けて商品用として靴６５に取り付け・表示して売場９０に陳列する。また、他方の記録媒体片２５ｂは、収納容器用として靴箱７５に再び収納するか、あるいは、靴箱７５ａに示すように孔２２に取付けた取付け具９５を介して箱の外から見えるように表示しても良い。靴箱７５ａのように箱の外から見えるように表示すれば目視による符合（照合）も可能となる。
【００２４】
次に、陳列した靴６５と、靴箱７５との符合につき説明する。
靴６５が売れた、あるいは、陳列から戻したいような場合、陳列されていた靴６５に対応する靴箱７５に収納するため、売場９０の靴６５に表示されている商品用記録媒体片２５ａを読取り装置８５ｂにて読取り、記録媒体片２５ａのＩＣチップ２６に書込まれている図示省略の商品情報および種類フラグを図示省略の読取り装置８５ｂの表示部に表示させるとともに、内蔵される図示省略のＣＰＵ、ＲＡＭなどを使って一時記憶し保持する。
次いで、保管エリア８０にて、一時保管スペースＹの靴箱７５に表示されているか、もしくは、靴箱７５内に収納されている収納容器用記録媒体片２５ｂを前記読取り装置８５ｂにて非接触状態で読取り、記録媒体片２５ｂのＩＣチップ２６に書込まれている図示省略の商品に関する情報との符合を図り、靴６５に対応する靴箱７５を探し出す。
上述したように、非接触で靴６５と靴箱７５との符合が図れ、靴６５を元の靴箱７５へ容易に返せるため、特に、「収納容器」と一体で取引されることにより価値が高い高級ブランドの靴やバッグの収納容器用記録媒体として用いて有効なものである。
【００２５】
上記、収納容器確認システムは、棚卸としても有効である。すなわち、積み重ねられた靴箱７５の中を確認することなく非接触で中身を確認でき、しかも、記録媒体２５の商品用および収納容器用記録媒体片２５ａ、２５ｂのそれぞれに異なる種類フラグ（図示省略）を設けてあるので、読取り装置８５により読取ったときに、商品用および収納容器用記録媒体片２５ａ、２５ｂの２つが認識された場合は「在庫」、収納容器用記録媒体片２５ｂのみが認識された場合で、かつ、靴６５が陳列されていなかった場合は靴箱７５が余分に残っていることが確認できる。
また、記録媒体２５の商品用および収納容器用記録媒体片２５ａ、２５ｂにそれぞれ異なる「種類フラグ」（図示省略）を設けてあるので、靴６５に間違えて収納容器用記録媒体片２５ｂを取付けたとしても、靴６５と靴箱７５との符合時には、読取った「使用フラグ」とは異なるフラグを探すよう読取り装置８５をプログラミングしておくことにより符合は可能である。
【００２６】
上記では、主に、タグ状の収納容器用ＲＦＩＤ記録媒体５０を例にとって説明したが、次に、ラベル状の収納容器用ＲＦＩＤ記録媒体６０を使用した場合につき説明する。
仕入部門７０にて、収納容器用ＲＦＩＤ記録媒体６０を発行して靴６５とともに靴箱７５に収納して保管エリア８０に運ぶ。
靴６５の陳列時、靴箱７５より収納容器用ＲＦＩＤ記録媒体６０を取出し、台紙３１上のラベル３２ａ、３２ｂを剥がし、一方を靴底などに貼付け、他方は靴箱７５の外側に貼付けて表示するか、靴箱７５の内側に貼付ける。靴箱７５の外側に貼付けると目視による認識も可能となる。但し、外側に貼付けると、靴箱７５が粘着剤（図示省略）により汚れ、お客様に引き渡す際にクレーム対象になることが考えられるため、内側に貼ることも可能であり、内側に貼ると目視はできないものの、読取り装置８５により非接触で靴箱７５の外側より商品情報が認識できるものである。なお、収納容器用ＲＦＩＤ記録媒体６０に、タグ状の収納容器用ＲＦＩＤ記録媒体５０と同様ミシン目を設けて台紙３１ごと記録媒体片３４ａ、３４ｂに分離できるようにすれば、靴箱７５内にＩＣチップ２６付きのラベル３２を備えた収納容器用記録媒体片３４ｂを収納した場合においても箱を汚す心配がなく、他方、商品用記録媒体片３４ａを靴６５の中に入れて表示したとしても靴６５を汚す心配がない。
【００２７】
なお、上記実施の形態の構成及び動作は例であって、本発明の趣旨を逸脱しない範囲で適宜変更することができることは言うまでもない。
【００２８】
例えば、収納容器用ＲＦＩＤ記録媒体５０、６０は、プリンタ１を用いて印字・作成した例で説明したがこれに限定されないことは勿論であり、カラー印刷された基材２１、あるいは、ラベル３２にＩＣチップ２６およびアンテナ２７を内蔵させて作製させてもよい。
【００２９】
また、収納容器用ＲＦＩＤ記録媒体５０、６０は、記録媒体片を２枚連接した例で説明したがこれに限定されないことは勿論であり、高級ブランドバックのように商品（バック）と箱のほか収納用の袋を備えるような場合には、３枚連接することも可能である。
【図面の簡単な説明】
【００３０】
【図１】本発明の収納容器用ＲＦＩＤ記録媒体発行方法を用いたプリンタの一実施の形態の構成例を示す概略説明図である。
【図２】同、プリンタで使用するタグ状のＲＦＩＤ記録媒体を示す概略斜視説明図である。
【図３】同、プリンタで使用するラベル状のＲＦＩＤ記録媒体を示す概略斜視説明図である。
【図４】同、タグ状の収納容器用ＲＦＩＤ記録媒体の説明図である。
【図５】同、ラベル状の収納容器用ＲＦＩＤ記録媒体の説明図である。
【図６】同、収納容器用ＲＦＩＤ記録媒体の使用形態を示す説明図である。
【符号の説明】
【００３１】
１    プリンタ
３    媒体供給部
４    補助ローラ
５    反射センサ（検出手段）
６    ＲＦＩＤリード・ライト部（ＲＦＩＤ読込み・書込み手段）
７    印字部（印字手段）
８    リボン部
９    カッタ部（切断手段）
１０  搬送路
１１  印字ヘッド
１２  プラテン
１３  インクリボン
１４  リボン供給部
１５  リボン巻取り部
１６  補助ローラ
１７  カッタセンサ
１８  カッタ刃
２０  ＲＦＩＤ記録媒体（タグ状）
２１  基材
２２  孔
２３  識別マーク（検出マーク）
２４  ミシン目
２５  記録媒体片
２５ａ  商品用記録媒体片
２５ｂ  収納容器用記録媒体片
２６  ＩＣチップ
２７  アンテナ
２８  ＲＦＩＤ部
３０  ＲＦＩＤ記録媒体（ラベル状）
３１  台紙
３２  ラベル
３３  識別マーク
３４  記録媒体片
３４ａ  商品用記録媒体片
３４ｂ  収納容器用記録媒体片
３５  ＲＦＩＤ部
４０  商品情報部
４１  価格印字部
４２  バーコード印字部
５０  収納容器用ＲＦＩＤ記録媒体（タグ状）
６０  収納容器用ＲＦＩＤ記録媒体（ラベル状）
６５  靴
７０  仕入部門
７５  靴箱
８０  保管エリア
８５、８５ａ、８５ｂ  読取り装置
９０  売場
【図１】
2005293260.tif 000003
【図２】
2005293260.tif 000004
【図３】
2005293260.tif 000005
【図４】
2005293260.tif 000006
【図５】
2005293260.tif 000007
【図６】
2005293260.tif 000008